(57)【要約】    【課題】  水栓本体の流路構造を単純なものとすることにより、製造コストや製造不良を低減することのできる湯水混合水栓を提供すること。    【解決手段】  給水配管側に接続される水側接続部２４と、給湯配管側に接続される湯側接続部２２と、吐水管３４に接続される吐水管接続部８８及びエルボ３６に接続されるエルボ接続部９６とが水栓本体２０に備えられると共に、水栓本体２０の一端側に、湯水混合室６０へ湯水を送り出す温度調節弁装置４２及び温度調節ハンドル３０が配設され、水栓本体２０の他端側に、湯水混合室６０の２次側に設けられ吐水管３４又はシャワーの吐止水を行う切換弁装置８０及び吐止水切換ハンドル３２が配設される湯水混合水栓１０において、水側接続部２４及び湯側接続部２２が水栓本体２０の一端側に配設され、吐水管接続部８８及びエルボ接続部９６が水側接続部２４及び湯側接続部２２よりも水栓本体２０の他端側に配設した。    【選択図】    図１
2005061530.tif 000002
【特許請求の範囲】
【請求項１】
給水配管側に接続される水側接続部と、給湯配管側に接続される湯側接続部と、吐水口に接続される吐水口接続部とが水栓本体に備えられると共に、
前記水栓本体の一端側に、給水配管からの給水量と給湯配管からの給湯量とを調節して湯水混合室へ湯水を送り出す温度調節弁装置及び該温度調節弁装置を操作するための温度調節ハンドルが配設され、前記水栓本体の他端側に、前記湯水混合室の２次側に設けられ吐水口の吐止水を行う吐止水弁装置及び該吐止水弁装置を操作するための吐止水ハンドルが配設される湯水混合水栓であって、
前記水側接続部及び湯側接続部が前記水栓本体の一端側に配設され、前記吐水口接続部が前記水側接続部及び湯側接続部よりも前記水栓本体の他端側に配設されたことを特徴とする湯水混合水栓。
【請求項２】
前記湯水混合室が、前記吐水口接続部の前記水栓本体一端側に配設されることを特徴とする請求項１に記載の湯水混合水栓。
【請求項３】
前記吐水口は吐水管に繋がる吐水管側吐水口であることを特徴とする請求項１又は２に記載の湯水混合水栓。
【請求項４】
前記吐水口は吐水管に繋がる吐水管側吐水口とシャワーホースに繋がるシャワー側吐水口とからなり、前記吐止水弁装置は前記吐水管側吐水口への吐水と前記シャワー側吐水口への吐水とを切換えると共に、吐止水を行う吐止水切換弁装置であることを特徴とする請求項１又は２に記載の湯水混合水栓。
【発明の詳細な説明】
【技術分野】
【０００１】
本発明は、水栓本体の一端側に、給水配管からの給水量と給湯配管からの給湯量とを調節して湯水混合室へ湯水を送り出す温度調節弁装置及び温度調節弁装置を操作するための温度調節ハンドルが配設されると共に、水栓本体の他端側に、湯水混合室の２次側に設けられ、吐水口の吐止水を行う吐止水弁装置及び吐止水弁装置を操作するための吐止水ハンドルが配設される湯水混合水栓に関する。
【背景技術】
【０００２】
いわゆる壁付き水栓等の湯水混合水栓の水栓本体においては、近年、円筒形状などの水栓本体の一端側に温度調節ハンドル及びこれに接続される温度調節弁装置を、他端側に吐止水ハンドル及びこれに接続される吐止水弁装置を配設するいわゆるＩ型と呼ばれる水栓が多く用いられている。図５に示すように、このような湯水混合水栓１００は、温度調節ハンドル１０２及び吐止水ハンドル１０４を水栓本体１０６の両端に配設することにより、簡潔ですっきりしたデザインの印象を与えることができるとともに、このＩ型以前に多く見られた、いわゆるＴ型と呼ばれる吐止水ハンドル及び吐止水装置が水栓本体の下部に配設される水栓のように、水栓本体の下部に設けられる吐止水ハンドルや吐止水装置のさらに下部に、吐止水装置と連通接続される吐水管が配設されることはないので、水栓本体１０６の下方の空間を無用に制約することはなく、例えば、予め施工現場の壁面などに配設されている給水配管や給湯配管の端末に取り付けられて床面などからの高さが定められることとなる水栓本体１０６の下方において、吐水管３４から吐出される湯水を受ける洗面器などを出し入れする際に吐水管３４などが邪魔になるおそれを少なくすることが出来るものである（例えば、特許文献１参照。）。
【０００３】
【特許文献１】特開２０００−２８３３２９号公報（図１、図２）
【発明の開示】
【発明が解決しようとする課題】
【０００４】
ところで、このような従来の湯水混合水栓１００では、上記したように水栓本体１０６の一端側に温度調節ハンドル１０２が配設され他端側に吐止水ハンドル１０４がそれぞれ配設されるとともに、給水配管又は給湯配管から接続ソケット１４を介して湯・水が流入される湯側接続部２２・水側接続部２４は水栓本体１０６の背面中央付近に配設され、一方、混合された湯水が吐出される吐水管３４は水栓本体１０６下部又は正面のいすれかの中央付近に設けられることが多い。このため、水栓本体１０６に流入される湯・水が吐水されるまでの流通は以下のように水栓本体１０６内を複雑にとり回されることになる。まず水栓本体１０６の中央付近の各接続部２２，２４から水栓本体１０６に流入される。そして、温度調節ハンドル１０２が水栓本体１０６の一端側に設けられているため、これが取り付けられる温度調節弁装置１０８へ導かれるために水栓本体１０６の一端側に流路が引き回される。そして温度調節弁装置１０８により所望の温度に混合された混合水は、水栓本体１０６の他端側に配設された吐止水ハンドル１０４が取り付けられる吐止水弁装置１１０へ導くために、これに至る流路は吐止水ハンドル１０４が取り付けられる水栓本体１０６の他端側に取り回される。そして、この吐止水弁装置１１０から、水栓本体１０６の中央付近に設けられる吐水管３４に向けて折り返された流路が取り回される。
【０００５】
このように、従来の湯水混合水栓１００においては、給水配管又は給湯配管側に接続される接続部２２，２４が設けられる位置と吐水管３４が設けられる位置との関係から、水栓本体１０６の一端側と他端側との間で二重の流路を設ける必要が生じ、水栓本体１０６を二重管構造とする必要があったり、さらに、二重管構造の内側の流路と給水配管・給湯配管側、又は吐水管に連通される流路を接続するためには、二重管構造の外側の流路を迂回させたり、貫通させるなどとして流路を取り回す必要があるため、水栓本体１０６の流路が極めて複雑になる。よって、水栓本体の製造コストが嵩んだり、製造不良の要因となっていた。また、流路が複雑であるために成型が困難となり、鍛造、樹脂材料の一体成型、切削加工などによる製造は非常に困難となっていた。
【０００６】
本発明は上記した従来の湯水混合水栓の問題点を解消するものであり、湯水混合水栓の水栓本体の流路構造を単純なものとすることにより、製造コストや製造不良を低減することのできる湯水混合水栓を提供することを目的とする。
【課題を解決するための手段】
【０００７】
以上の課題を解決するために、本発明の採った手段を以下に説明する。本発明の湯水混合水栓は、「給水配管側に接続される水側接続部と、給湯配管側に接続される湯側接続部と、吐水口に接続される吐水口接続部とが水栓本体に備えられると共に、前記水栓本体の一端側に、給水配管からの給水量と給湯配管からの給湯量とを調節して湯水混合室へ湯水を送り出す温度調節弁装置及び該温度調節弁装置を操作するための温度調節ハンドルが配設され、前記水栓本体の他端側に、前記湯水混合室の２次側に設けられ吐水口の吐止水を行う吐止水弁装置及び該吐止水弁装置を操作するための吐止水ハンドルが配設される湯水混合水栓であって、前記水側接続部及び湯側接続部が前記水栓本体の一端側に配設され、前記吐水口接続部が前記水側接続部及び湯側接続部よりも前記水栓本体の他端側に配設されたことを特徴とする湯水混合水栓。」（請求項１）である。
【０００８】
本発明において「吐水口」は、吐水管に繋がる吐水管側吐水口や、シャワーホースに繋がるシャワー側吐水口や、浄水器に繋がる浄水側吐水口など種々の態様の吐水口を指し、その吐水形態によって限定されるものではない。また「吐止水弁装置」とは上記吐水口からの吐水及び吐水の停止を行う装置をいうが、複数種類の吐水形態を為すことが可能な湯水混合水栓においては、これらの吐止水機能の他に吐水形態の切り換え機能を併せ持つものも含むものである。
【０００９】
上記した湯水混合水栓では、その流路の順序は１次側（上流側）より、水側接続部及び湯側接続部、温度調節弁装置、湯水混合室、吐止水弁装置、吐水口となる。本発明の湯水混合水栓では上記のように、水側接続部及び湯側接続部が、温度調節弁装置等が配設される水栓本体の一端側に配設され、一方、吐水口接続部は、水側接続部及び湯側接続部よりも、吐止水弁装置等が配設される水栓本体の他端側に配設されているので、水側接続部及び湯側接続部と吐水口接続部とが水栓本体の一端側・他端側方向において重なり合わない。よって、水側接続部及び湯側接続部と吐水口接続部とに直接繋がる流路も水栓本体の一端側・他端側方向において重なり合うことがないので、これらの流路を水栓本体の一端側・他端側方向周りに二重に形成する必要がなくなり、水栓本体内の構造を単純化することができる。また、吐水口接続部が水側接続部及び湯側接続部の間に設けられていないので、吐水口接続部にシャワーホースが接続されている態様の湯水混合水栓では、シャワーホースが接続部に干渉され難くすることができるのでシャワーホースを容易に取り回すことができる。
【００１０】
また、本発明の別の湯水混合水栓は、「前記湯水混合室が、前記吐水口接続部の前記水栓本体一端側に配設されることを特徴とする請求項１に記載の湯水混合水栓。」（請求項２）である。
【００１１】
上記した請求項１に記載の湯水混合水栓では、水側接続部及び湯側接続部が水栓本体の一端側に、吐水口接続部がこれらの両接続部よりも他端側に配設されているが、さらに、湯・水が混合されて吐水口側に混合水を流通させる湯水混合室が、前記吐水口接続部の前記水栓本体一端側に配設されることとなる。すなわち、例えば、水栓本体の左側には温度調節弁装置及び温度調節ハンドル、水側接続部及び湯側接続部が配設され、一方、水栓本体の右側には吐止水弁装置及び吐止水ハンドル、吐水口接続部が配設されている場合、湯水混合室は、吐水口接続部の左側に収まって配設されることとなる。したがって、本発明の湯水混合水栓では、湯水混合室から吐水口接続部への流路を、水栓本体の他端側方向において折り返すような構造とする必要がないので、水栓本体内の構造を単純化することができる。また、本発明の湯水混合水栓には、水栓本体の一端側から他端側にかけて、水側接続部又は湯側接続部と湯水混合室とが重なり合ったり、あるいは、湯水混合室と吐水口接続部とが重なり合う態様で設けられる場合も含まれるが、このように両者の一部が重なり合って配置される場合であっても、重なり合う部位において流路を接続することができるので、水側接続部及び湯側接続部から湯水混合室への流路、及び湯水混合室から吐水口接続部への流路を、水栓本体の一端側・他端側方向において折り返すような構造とする必要がないので、水栓本体内の構造を単純化することができる。
【００１２】
また特に、上記した吐水口が吐水管に繋がる吐水管側吐水口である湯水混合水栓に本発明を適用しても良く（請求項３）、また、上記した吐水口が吐水管に繋がる吐水管側吐水口とシャワーホースに繋がるシャワー側吐水口とからなり、上記した吐止水装置は吐水管側吐水口への吐水とシャワー側吐水口への吐水とを切換えると共に、吐止水を行う吐止水切換弁装置を備えた湯水混合水栓に本発明を適用することとしても良い（請求項４）。
【発明の効果】
【００１３】
本発明の湯水混合水栓は上記のように構成されて流路を単純化することができるので、容易にその製造をすることができ、例えば、従来は多数の中子が用いられていた鋳造による製造の際に中子の数を減らしたり、鋳物不良を減少させることができる。また、鍛造、切削加工が容易となり、樹脂材料による一体成型も容易に行うことができる。よって、製造コストを低減させることができ、また、製造作業を簡素化できる。また、シャワーホースの取り回しを容易にすることができるので、吐水口としてシャワー側吐水口を備えた湯水混合水栓ではシャワーの操作性を向上させることができる。
【発明を実施するための最良の形態】
【００１４】
次に、本発明の湯水混合水栓の実施の形態を図を参考にして詳細に説明する。本発明の湯水混合水栓１０は、浴室の壁面１に対して設置されるいわゆる壁付き水栓の一種である。湯水混合水栓１０が取り付けられる壁面１には、その裏側に給水配管及び給湯配管が引き回されており、これらの配管の端末（図示省略）が壁面に開口された取付孔（図示省略）奥に固定されている。湯水混合水栓１０は、その水栓本体２０が、略クランク形状の接続ソケット１４によって、これらの端末に接続固定されて壁面１に取り付けられる。
【００１５】
接続ソケット１４は内部に湯又は水の流路が形成されるとともに剛性のある材質にて形成されており、水栓本体２０を壁面に対して固定する。接続ソケット１４は、その一端側の配管側接続部１６が配管の端末に螺合されるとともに、配管側接続部１６のねじ込み具合の微調節により、他端側の水栓本体側接続部１８の位置を配管側接続部１６の軸心を中心にして回動調節が可能とされているものである。そしてこのように水栓本体側接続部１８の位置を回動調節することにより、２つの接続ソケット１４の水栓本体側接続部１８の間隔を水栓本体２０背面の湯側接続部２２と水側接続部２４との間隔に正確に一致させて、両配管の端末と水栓本体２０とを円滑に接続固定する。
【００１６】
全体が略円筒形状に形成された水栓本体２０には、左側端部に温度調節ハンドル３０が、右側端部に吐止水切換ハンドル３２が、正面側の右側端部寄りに吐水管３４が、背面側の右側端部寄りにエルボ３６がそれぞれ配設されている。そして、背面側のほぼ中央付近には上記したように湯側接続部２２と水側接続部２４が左側から順に並列に突設されている。両接続部２２，２４には雄ねじが刻設されており、これらの接続部２２，２４にナット２５を介して接続ソケット１４の水栓本体側接続部１８が接続固定され、両接続部２２，２４が水栓本体２０内の湯室２６，水室２８にそれぞれ連通されている。
【００１７】
略円筒形状に形成された水栓本体２０の本体部２１とほぼ同径の略円筒形状に形成された温度調節ハンドル３０は、本体部２１内に水密に収容固定された温度調節弁装置４２の可動スピンドル４４に取り付けられ、この温度調節ハンドル３０を回動操作することにより可動スピンドル４４を回動駆動し、温度調節弁装置４２が駆動操作されて吐水管３４等からの吐水の温度を使用者の任意の温度に設定可能に構成されている。また、温度調節ハンドル３０には、コイルスプリングが巻着されて温度調節ハンドル３０外周面外方に向けて付勢された回動規制ボタン３８が取り付けられており、この回動規制ボタン３８が温度調節ハンドル３０外周面内方に押し込まれない限り所定以上の高温度の湯温に設定がなされないようにされ、使用者の意図と反する高温の吐水が防止されている。
【００１８】
温度調節ハンドル３０が取り付けられる側の本体部２１左側端部寄りには、温度調節弁装置４２が内蔵されている。本例においては、この温度調節弁装置４２は公知のサーモスタットカートリッジである。上記したように、温度調節弁装置４２には温度調節ハンドル３０が取り付けられる可動スピンドル４４が突設されている。可動スピンドル４４の奥端には、バイアスばね４６により可動スピンドル４４側のスリーブ５２に当接して付勢された固定スピンドル４８が取り付けられている。可動スピンドル４４は、温度調節弁装置４２のボンネット５０内に螺合収容されたスリーブ５２内にねじ込まれており、スリーブ５２は、温度調節ハンドル３０の操作により可動スピンドル４４と共に従回動されて軸方向にスライドされる。そして、バイアスばね４６によって可動スピンドル４４方向に付勢されるとともにスリーブ５２によって当接される固定スピンドル４８も、スリーブ５２にしたがって軸方向にスライドされることとなる。
【００１９】
上記したように、可動スピンドル４４と反対側の固定スピンドル４８端面のばね受け部４９にバイアスばね４６が取り付けられているが、このバイアスばね４６の他端部は弁収容室５８内の可動弁体５６のばね受け部５４に取り付けられている。略円筒形状の可動弁体５６には、その軸心に沿って穿設された流通孔５７が形成されており、弁口６２に連通される湯流通室５９内の湯は、この流通孔５７を通って湯水混合室６０内に流通可能に設けられている。また、本体部２１の内側に可動弁体５６の外周面に沿って円筒状に形成された弁体保持部６８の内周面には、可動弁体５６との間の水密を図るＯリング７０が装着されており、このＯリング７０を挟んで、弁収容室５８のハウジングの湯室２６側に開口される湯側弁口６２と、水室２８側に開口される水側弁口６４とを隔てている。また、弁収容室５８の切換弁装置８０側には、弁収容室５８に連通される湯水混合室６０が設けられている。
【００２０】
可動弁体５６は、湯側弁口６２及び水側弁口６４の開口量を変化させるように弁収容室５８内を軸心方向にそって移動可能に設けられており、湯側弁口６２を完全に閉止すると水側弁口６４のみが開口されて水のみが湯水混合室６０内に流入することとなり、一方、水側弁口６４を完全に閉止すると湯側弁口６２のみが開口されて、湯流通室５９から流通孔５７を経た湯のみが湯水混合室６０内に流入することとなる。そして、湯側弁口６２及び水側弁口６４が共に開口された状態では、湯及び水が湯水混合室６０内に流入されて混合されることになる。
【００２１】
そして、この湯水混合室６０内には可動弁体５６をバイアスばね４６方向に付勢する感温ばね６６が取り付けられている。感温ばね６６は、温度に応じてばね定数が変化する金属（形状記憶合金など）により形成されており、湯水混合室６０内にて混合される湯水の温度によってばね定数が変化される。一方、バイアスばね４６は温度に関してほぼ一定のばね定数を有する通常のばね材料により形成されている。可動弁体５６は、これらの感温ばね６６とバイアスばね４６による付勢力の釣り合いによってその位置が定められる。そして、上記したように温度調節ハンドル３０の回動操作によりばね受け部４９の位置がスライドして、バイアスばね４６に対する荷重が増減されて、バイアスばね４６と感温ばね６６との付勢力が釣り合う位置まで可動弁体５６が変位して、湯水混合室６０内の混合水の温度が使用者が望む温度に変更されることになる。そして、湯水混合室６０の弁収容室５８と反対側には、湯水混合室６０と連通されると共に切換弁装置８０に連通される混合水流通室７２が設けられている。
【００２２】
次いで、図１及び図２に示されるように、本体部２１の右側端部寄りに設けられた切換弁装置８０について説明する。この切換弁装置８０は本発明にいう「吐止水弁装置」の一例であり、吐水管３４、又はエルボ３６に接続されるシャワー装置（図示省略）からの吐止水及び吐水量調節を行うほか、吐水管３４又はシャワー装置のいずれかからの吐水の切換を行うものである。切換弁装置８０は、本体部２１とほぼ同外径の円筒状の切換ボディ８１内に、この切換ボディ８１内周面に摺接して軸心周りに回動自在に収容された同じく円筒状の切換弁体８５とを備えている。図１に示すように、切換弁体８５の右側端部からはスピンドル８６が突設されており、このスピンドル８６に吐止水切換ハンドル３２が取り付けられて、吐止水切換ハンドル３２の回動操作により切換弁体８５が回動されるように構成されている。
【００２３】
図２に示すように、切換弁体８５には、切換ボディ８１に摺接する側壁部に、吐水管３４又はエルボ３６に連通可能な開口部８２，８４が設けられている。図２では、開口部８２，８４は、いずれも吐水管３４又はエルボ３６のいずれにも連通していない状態となっており、この状態では、湯水混合水栓１０は吐水管３４及びエルボ３６のいずれからも湯水が吐出されない止水状態とされている。そして、図２に示す状態から吐止水切換ハンドル３２を時計回りと逆方向に回動操作すると、開口部８２が吐水管３４に連通されて吐水管３４からの吐水が開始される。また、吐止水切換ハンドル３２の操作にしたがう開口部８２の開口量によってその吐水量が変更される。また、図２に示す状態から吐止水切換ハンドル３２を時計回りに回動操作すると、開口部８４がエルボ３６に連通されてシャワー装置からの吐水が開始される。また同様に、吐止水切換ハンドル３２の操作にしたがう開口部８４の開口量によってその吐水量が変更される。
【００２４】
また、図２に示すように、切換ボディ８１の下部には、切換ボディ８１内部に連通される吐水管接続部８８が突設されている。なお、この吐水管接続部８８及び後述するエルボ接続部９６が、各々本発明にいう「吐水口接続部」に相当するものである。吐水管接続部８８は、図１に示すように、水栓本体２０の軸心方向において湯水混合室６０よりも吐止水切換ハンドル３２側の切換弁体８５の下方に設けられている。この吐水管接続部８８内に吐水管３４の基端部が軸心周りに回動自在に挿嵌接続され、吐水管接続部８８内周面と吐水管３４基端部外周面との間にＸパッキン９０が介装されるとともに係止リング９２により抜け止めされて、ナット９４によって切換ボディ８１に対して吐水管３４が取り付けられている。吐水管３４は、吐水管接続部８８から下方に向けて垂下され、次いで水栓本体２０手前側に水平方向に屈曲形成されて形成されている。吐水管３４の基端部は、切換ボディ８１内の切換弁体８５に臨ませられており、切換弁体８５が回動されて開口部８２が開口された際には、吐水管３４内を通ってその先端から湯水が吐水されることとなる。
【００２５】
また、切換ボディ８１の背面側には、同様に切換ボディ８１内部に連通されるエルボ接続部９６が突設されている。図１に示すように、このエルボ接続部９６は吐水管接続部８８と同様に、水栓本体２０の軸心方向において湯水混合室６０よりも吐止水切換ハンドル３２側の、切換弁体８５の背面側に設けられている。そして、このエルボ接続部９６内にエルボ３６の基端部が、その外周面に装着されてエルボ接続部９６内周面に対して圧着されるＯリング９８によって一定の抵抗を受けながら回動自在に挿嵌接続されている。そして、エルボ３６の基端部は、切換ボディ８１内の切換弁体８５に臨ませられており、切換弁体８５が回動されて開口部８４が開口された際には、図示しないシャワーホースを経由してシャワーホース先端に接続されたシャワーヘッドから湯水が吐水されることとなる。
【００２６】
なお本例では、吐水管３４はエルボ３６が設けられる位置よりも、接続部２２，２４寄りに若干ずれた位置に配設されている。このような吐水管３４の位置とすることにより、使用者が触れて水栓本体２０に応力が伝わりやすい吐水管３４を水栓本体２０が接続固定される部位である両接続部２２，２４にできるだけ近づけることにより、吐水管３４に加わる力の水栓本体２０に対する応力伝達が過大とならないように構成されている。一方、エルボ３６が接続部２４から離れた位置とされることにより、エルボ３６に接続されるシャワーホースが接続部２４に干渉し難くされて、シャワーホースをより容易に引き回すことができる。
【００２７】
本湯水混合水栓１０は、上記のように、その流路は、湯側においてはまず、給湯配管の端末に接続されて湯が流入される接続ソケット１４、水栓本体２０背面側の湯側接続部２２、湯室２６、湯流通室５９、可動弁体５６の流通孔５７を経て湯水混合室６０に至る。一方、水側においては接続ソケット１４、水湯側接続部２４、水室２８を経て湯水混合室６０に至る。そして湯水混合室６０で混合された混合水は、切換弁体８５内を経て吐水管接続部８８側又はエルボ接続部９６側のいずれかから吐水されることとなる。そして、湯水混合室６０が吐水管接続部８８及びエルボ接続部９６の左側寄りに配設されているので、これらを結ぶ流路（切換弁体８５内等の流路を含む）が水栓本体２０の軸心方向において折り返されることなく形成されている。また、湯側接続部２２及び水側接続部２４と吐水管接続部８８及びエルボ接続部９６とが水栓本体２０の軸心方向において重なり合う位置には配設されていないので、本体部２１内の、湯側接続部２２・水側接続部２４から湯室２６・水室２８へ至る流路と、切換弁体８５から吐水管接続部８８及びエルボ接続部９６へ至る流路が、水栓本体２０軸心方向において重なることなく形成されている。よって、本湯水混合水栓１０においては、本体部２１に温度調節弁装置４２等を挿嵌固定するだけでこれらの流路を構成することができる。そして、湯水混合水栓１０の本体部２１を図３及び図４に示すように極めて単純な構造とすることができ、鋳造の際の中子を極めて少なくすることができ、また、鋳造の他、鍛造、樹脂一体成形、切削加工等も容易にできる。また、形状を単純とすることにより製造不良も減少させることができる。
【００２８】
また、接続ソケット１４に接続される湯側接続部２２と水側接続部２４との間ではなく、両接続部２２，２４の外側の吐止水切換ハンドル３２寄りに配設されているので、エルボ３６に接続されたシャワーホースを上方に引き回そうとする際に両接続部２２，２４のいずれかには必ずひっかかるということはない。よって、この湯水混合水栓１０においては、吐止水切換ハンドル３２側にシャワーホースを引き回せば接続部２２，２４に干渉されることなくシャワーホースを上方に引き回すことができる。したがって、シャワーホースを上方に引き回し易くなりシャワー装置の操作性を向上させることができる。
【００２９】
本発明の湯水混合水栓は上記の構成に限られるものではなく、本発明の趣旨の範囲内で種々の変更が可能である。例えば、湯水混合水栓１０では、正面視左側に温度調節ハンドル３０を配設し右側に吐止水切換ハンドル３２を配設することとしているが、これを左右逆にして配設した湯水混合水栓としても良い。この場合には、ハンドルの位置にしたがって水栓本体２０内部の流路も左右逆に配設されることとなる。また、上記湯水混合水栓１０の流路を構成する各部材・部位の配設位置については上記の通りであるが、流路を構成する各部材・部位そのものの形状は限定されず、例えば、上記湯水混合水栓１０では湯室２６及び水室２８は、円筒状の湯流通室５９や湯水混合室６０を取り囲むような形状とされているが、湯流通室５９や湯水混合室６０の周囲を完全に取り囲むのではない形状などとすることもできる。また、吐水管３４やシャワーホースに接続されるエルボ３６に限られず、浄水器その他の湯水を吐出する種々の水栓部品に接続される湯水混合水栓にも適用することができる。また、「温度調節弁装置」や「吐止水弁装置」は上記の温度調節弁装置４２や切換弁装置８０に限られるものではなく、種々の公知の弁装置を用いることができ、例えば、温度調節弁装置としてはワックスを封入したサーモエレメントを用いるサーモカートリッジを用いる等としても良い。
【図面の簡単な説明】
【００３０】
【図１】湯水混合水栓の横断面図である。
【図２】図１の湯水混合水栓のＡ−Ａ線断面図である。
【図３】水栓本体の本体部の横断面図である。
【図４】水栓本体の本体部の縦断面図である。
【図５】従来の湯水混合水栓の横断面図である。
【符号の説明】
【００３１】
１；壁面、１０；湯水混合水栓、１４；接続ソケット、１６；配管側接続部、１８；水栓本体側接続部、２０；水栓本体、２１；本体部、２２；湯側接続部、２４；水側接続部、２５；ナット、２６；湯室、２８；水室、３０；温度調節ハンドル、３２；吐止水切換ハンドル、３４；吐水管、３６；エルボ、３８；回動規制ボタン、４２；温度調節弁装置、４４；可動スピンドル、４６；バイアスばね、４８；固定スピンドル、４９；ばね受け部、５０；ボンネット、５２；スリーブ、５４；ばね受け部、５６；可動弁体、５７；流通孔、５８；弁収容室、５９；湯流通室、６０；湯水混合室、６２；湯側弁口、６４；水側弁口、６６；感温ばね、６８；弁体保持部、７０；Ｏリング、７２；混合水流通室、８０；切換弁装置、８１；切換ボディ、８２，８４；開口部、８５；切換弁体、８６；スピンドル、８８；吐水管接続部、９０；Ｘパッキン、９２；係止リング、９４；ナット、９６；エルボ接続部、９８；Ｏリング、１００；湯水混合水栓、１０２；温度調節ハンドル、１０４；吐止水ハンドル、１０６；水栓本体、１０８；温度調節弁装置、１１０；吐止水弁装置。
【図１】
2005061530.tif 000003
【図２】
2005061530.tif 000004
【図３】
2005061530.tif 000005
【図４】
2005061530.tif 000006
【図５】
2005061530.tif 000007